(57)【要約】      （修正有）【課題】吹出口の開口面積を大きくして、吹出風量を増加させることのできる一体型空気調和機を提供する。【解決手段】室内熱交換器１０が吸込グリルと、ケーシング１３との間で前方に傾斜して配置されることにより、吸込グリルの下部と、ケーシング１３との間に空間ができ、同空間に、背面側に電装箱を備えた操作ユニット７を配置することができる。これにより、吹出口を前面パネルの上端部から下端部に至るように開口面積を大きくして形成することができ、吹出風量を増加させることができる。【選択図】図２
2013068334.tif 000002
【特許請求の範囲】
【請求項１】
外胴に収納されるベース上を仕切体により室内側と室外側とに区画し、前記室内側に室内熱交換器と、シロッコファンを収納し吹出口に至るファンケーシングとを配設し、前記室外側に圧縮機と室外熱交換器とプロペラファンとを配設する一方、前記外胴の前面側に前面パネルを設け、同前面パネルの一側に吸込グリルを装着し他側に前記吹出口を形成するとともに、前記室内側に電装箱を背面に備えた操作ユニットを配置してなる一体型空気調和機において、
前記吸込グリルと前記ファンケーシングの間に、前方に傾斜する前記室内熱交換器を配置し、前記吸込グリルの下部と前記室内熱交換器との間に空間を形成し、前記空間に前記操作ユニットを配置する一方、前記吹出口を前記前面パネルの上端部から下端部に至るように形成したことを特徴とする一体型空気調和機。
【請求項２】
前記ベースは周縁に、前面フランジと側面フランジと後面フランジとを有し、前記操作ユニットは前記前面フランジに固定されてなることを特徴とする請求項１に記載の一体型空気調和機。
【請求項３】
前記前面フランジに、左右に螺子挿通孔を穿設するとともに把手を前面側に突出するように備えた前面抑え部を形成し、前記前面フランジの後方に、内側に凹む後面抑え部を形成した固定用フランジを設け、前記前面抑え部と前記後面抑え部とで、前記操作ユニットを収納し、且つ固定する操作ユニット固定部を設けてなることを特徴とする請求項１及び請求項２に記載の一体型空気調和機。
【請求項４】
前記前面フランジを内側に窪ませ前記操作ユニットを収納する操作ユニット固定部を形成する一方、同操作ユニット固定部の両側に、把手部を配置したことを特徴とする請求項１及び請求項２に記載の一体型空気調和機。
【発明の詳細な説明】
【技術分野】
【０００１】
本発明は、一体型空気調和機に関わり、より詳細には、背面側に電装箱を備えた操作ユニットを吸込グリル側に配置して吹出口の面積を拡大させ、吹出風量及び熱交換量を向上させる構成に関するものである。
【背景技術】
【０００２】
一体型空気調和機は、ベース上を仕切板により室内側と室外側とに区画し、室内側に室内熱交換器とシロッコファンとが配設し、室外側に室外熱交換器とプロペラファンと、同プロペラファンと前記シロッコファンとを駆動するモータと、圧縮機とを配設している。また、ベースは外胴内に引き出し可能に収納され、外胴の前面には前面パネルが取り付けられている。
【０００３】
図５で示す一体型空気調和機４０は、外胴４２内に各機器を搭載したベースを収納するとともに前面に前面パネル４３を装着している。同前面パネル４３の一側には、多数の桟を前面に形成し、裏面に塵埃を除去するフィルタを備えた吸込グリル４４が設けられ、他側には、複数の左右風向板４５ａと複数の上下風向板４５ｂとを備えた吹出口４５が形成されるとともに、同吹出口４５の下方には、ＯＮ／ＯＦＦスイッチ、温度調整ノブ等を前面側に備える一方、背面側に電装箱を備えた操作ユニット４６が設けられている。
【０００４】
吸込グリル４４から吸込まれた室内の空気は、同吸込グリル４４の裏面に備えられたフィルタにより含有する塵埃を除去された後、室内熱交換器内を流れる冷媒と熱交換され、熱交換された空気はシロッコファンにより吹出口４５から再び室内に吹出されるようになっている。
【０００５】
しかしながら、吹出口４５は下方に電装箱を備えた操作ユニット４６を設けていることにより面積の拡大は制限されており、吹出面積拡大による吹出風量の増加を図ろうとしても困難であった。
【０００６】
上記した問題に対処する為、例えば、一体型空気調和機とは異なるが特許文献１に記載されているように、熱交換器と、同熱交換器の下流に設けられるファンとを内蔵する壁掛型の室内機において、熱交換器よりも上流側の空間に電気品収納箱を配置することにより、室内機の幅方向のほぼ全域に熱交換器を設置できるようになり、空気流路を通過する空気流量を増加させる技術が記載されている。
【先行技術文献】
【特許文献】
【０００７】
【特許文献１】特開２００２−１５６１３５号（３頁、図２）
【発明の概要】
【発明が解決しようとする課題】
【０００８】
本発明は、上記問題点に鑑み、吹出口の開口面積を増大させて、吹出風量を増加させることのできる一体型空気調和機を提供することを目的とする。
【課題を解決するための手段】
【０００９】
本発明は、上記課題を解決するため、外胴に収納されるベース上を仕切体により室内側と室外側とに区画し、前記室内側に室内熱交換器と、シロッコファンを収納し吹出口に至るファンケーシングとを配設し、前記室外側に圧縮機と室外熱交換器とプロペラファンとを配設する一方、前記外胴の前面側に前面パネルを設け、同前面パネルの一側に吸込グリルを装着し他側に前記吹出口を形成するとともに、前記室内側に電装箱を背面に備えた操作ユニットを配置してなる一体型空気調和機において、前記吸込グリルと前記ファンケーシングの間に、前方に傾斜する前記室内熱交換器を配置し、前記吸込グリルの下部と前記室内熱交換器との間に空間を形成し、前記空間に前記操作ユニットを配置する一方、前記吹出口を前記前面パネルの上端部から下端部に至るように形成した構成となっている。
【００１０】
また、前記ベースは周縁に、前面フランジと側面フランジと後面フランジとを有し、前記操作ユニットは前記前面フランジに固定されてなる構成となっている。
【００１１】
また、前記前面フランジに、左右に螺子挿通孔を穿設するとともに把手を前面側に突出するように備えた前面抑え部を形成し、前記前面フランジの後方に、内側に凹む後面抑え部を形成した固定用フランジを設け、前記前面抑え部と前記後面抑え部とで、前記操作ユニットを収納し、且つ固定する操作ユニット固定部を設けてなる構成となっている。
【００１２】
また、前記前面フランジを内側に窪ませ前記操作ユニットを収納する操作ユニット固定部を形成する一方、同操作ユニット固定部の両側に、把手部を配置した構成となっている。
【発明の効果】
【００１３】
本発明によれば、室内熱交換器が前方に傾斜して設けられることにより、背面側に電装箱を備えた操作ユニットを吸込グリルの下部に配置することができ、これにより、吹出口を前面パネルの上端から下端に至るように形成して吹出風量を増加させることができるようになっている。
【００１４】
また、操作ユニットをベースの前面フランジに固定することにより、操作ユニットの装着が容易となっている。
【図面の簡単な説明】
【００１５】
【図１】本発明による一体型空気調和機を示す外観斜視図である。
【図２】本発明による一体型空気調和機の第一実施例による内部構成を示す斜視図である。
【図３】本発明による一体型空気調和機の第一実施例による内部構成を示す断面図である。
【図４】本発明による一体型空気調和機の第二実施例による内部構成を示す斜視図である。
【図５】従来の一体型空気調和機を示す外観斜視図である。
【発明を実施するための形態】
【００１６】
以下、本発明の実施の形態を、添付図面に基づいた実施例として詳細に説明する。
【実施例１】
【００１７】
本発明による一体型空気調和機は、図１及び図２の斜視図で示すように、底面を構成する板金材からなるベース１と、同ベース１を収納自在に保持する断面コ字状に形成された板金材からなる外胴２と、同外胴２の前面に装着された樹脂材からなる前面パネル３とで本体を構成している。ベース１の周縁には、前面フランジ１ｄと、側面フランジ１ｅと、後面フランジ１ｆとが形成されている。
【００１８】
前面パネル３の一側には図示しない吸込口が形成され、同吸込口の前面には、多数の桟を上下方向に形成した樹脂材からなる吸込グリル３ａが着脱自在に装着されている。また、吸込口と吸込グリル３ａとの間には、吸込まれた空気に含有される塵埃を捕集する図示しないフィルタが着脱自在に装着されている。前面パネル３の他側には、複数の左右風向板５と複数の上下風向板６を可動自在に備えた吹出口４が設けられている。
【００１９】
吸込グリル３ａの下端中央には、前面側にＯＮ／ＯＦＦスイッチ７ａ、温度調整ノブ７ｂ等を備える一方、背面側に電装品を収納した電装箱を備えた操作ユニット７が設けられている。同操作ユニット７を吸込グリル３ａの下端中央に配置することにより、吹出口７を前面パネル３の上端部から下端部に至るように形成でき、これにより吹出口の開口面積を大きくすることができるようになっている。
【００２０】
吸込グリル３ａから吸込まれた室内の空気は、フィルタにより含有する塵埃を除去され、後述する室内熱交換器１０を通過して冷媒と熱交換された後、複数の左右風向板５及び複数の上下風向板６により吹出方向を偏向されながら、後述するシロッコファン１２により吹出口４から再び室内に送出されるようになっており、吹出口４の吹出口の開口面積の拡大により、吹出風量が増加するようになっている。
【００２１】
次に、内部構成について説明する。図２の斜視図で示すように、底面を構成するベース１は、中央部に配置された仕切体１ａにより前後に区画され、区画された前方には室内部１ｂが形成され、区画された後方には室外部１ｃが形成されている。
【００２２】
室外部１ｃには、圧縮機８及びアキュームレータ９が配設されるとともに、平行して並べられた多数のフィンと同フィンに直交するように蛇行状に配置された伝熱管とからなり、Ｕ字状に形成された室外熱交換器１１と、同室外熱交換器１１に囲まれるように、プロペラファン１４が配設されている。また、室外部１ｃには仕切体１ａに近接して両軸を備えた後述するファンモータ１６が設けられ、同ファンモータ１６の一方の回転軸は室内ファンとしてのシロッコファン１２に接続され、他方の回転軸は室外ファンとしてのプロペラファン１４に接続されるようになっている。図１で示す外胴２の両側面に形成された吸込口２ａから吸込まれた室外の空気は、プロペラファン１３により室外熱交換器１１に送出され、同室外熱交換器１１を通過して冷媒と熱交換された後、背面側に吹出されるようになっている。
【００２３】
室内部１ｂには、室内ファンとしてのシロッコファン１２と、同シロッコファン１２を収納し、吸込グリル３ａから吸込まれた室内の空気が後述する室内熱交換器１０により熱交換された後、前述した吹出口４に導くファンケーシング１３が設けられている。
【００２４】
また、ファンケーシング１３の前面には、図３に示すように、室内熱交換器１０が前方に傾斜するようにして設けられている。同室内熱交換器１０は室外熱交換器１１と同様に、平行して並べられた多数のフィン１０ｂと同フィン１０ｂに直交するように蛇行状に配置された伝熱管１０ｃと、フィン１０ｂの両側に配置された側板１０ａとからなり、前述したように吸込グリル３ａから吸込まれた室内の空気が伝熱管１０ｃを流れる冷媒と熱交換し、熱交換された空気はケーシング１３のシロッコファン１２に吸引されるようになっている。
【００２５】
ベース１の前面中央には、操作ユニット固定部１５が形成されており、同操作ユニット固定部１５に、前述したようにＯＮ／ＯＦＦスイッチ７ａ及び温度調整ノブ７ｂ等を前面側に備え、背面側に電装箱を備えた操作ユニット７が配置されるようになっている。操作ユニット固定部１５はベース１の前面フランジ１ｄと、同前面フランジ１ｄの内側に立設された固定用フランジ１ｇとから形成され、Ａ部詳細で示すように、前面フランジ１ｄには、左右に一対の螺子挿通孔１５ｄを穿設するとともに、前面に切り起こしによる把手１５ｃを備え、周囲より段差を有して高く形成された前面抑え部１５ａが形成され、固定用フランジ１ｇには前面抑え部１５ａに対応して、内側に矩形状に窪んだ後面抑え部１５ｂが形成されている。
【００２６】
背面側に電装箱を備えた操作ユニット７は、前面上部７ｃにＯＮ／ＯＦＦスイッチ７ａ及び温度調整ノブ７ｂ等を備える一方、前面下部７ｄは前面フランジ１ｄの板厚分、前面上部７ｃより凹んで形成され、同前面下部７ｃの両側には、前面抑え部１５ａの螺子挿通孔１５ｄに対応して一対の螺子孔７ｅが穿設されている。
【００２７】
次に、操作ユニット７が操作ユニット固定部１５に収容されるとともに固定された状態について説明する。図３の断面図で示すように、ベース１上には、前述した室内熱交換器１０、ケーシング１３、同ケーシング１３に収納されたシロッコファン１２、ファンモータ１６、プロペラファン１４及び室外熱交換器１１等が配設されており、ベース１の前面には操作ユニット７が設けられるようになっている。
【００２８】
操作ユニット７が前面抑え部１５ａと後面抑え部１５ｂとに挟まれるように上方から操作ユニット固定部１５に収容されると、周辺フランジ１ｄの前面抑え部１５ａ両側に穿設された螺子挿通孔１５ｄに図示しない螺子が挿入されるとともに、操作ユニット７の前面下部７ｃに穿設された螺子孔７ｅに螺合するようになっており、これにより操作ユニット７は操作ユニット固定部１５に固定されるようになっている。
【００２９】
室内熱交換器１０が図３において図示しない吸込グリル３ａと、ケーシング１３との間で前方に傾斜して設けられることにより、室内熱交換器１０の下部と吸込グリル３ａとの間に空間ができ、同空間に前述したように操作ユニット７を配置することができるようになっている。
【００３０】
また、ベース１の操作ユニット固定部１５に操作ユニット７を配置することにより、吹出口４を前面パネル３の上端部から下端部に至るように吹出口の開口面積を大きく形成することができ、これにより、吹出口４からの吹出風量を増加させることができるようになっている。
【００３１】
また、前面フランジ１ｄの前面抑え部１５ａには切り起こしによる把手１５ｃが形成されているが、前面抑え部１５ａと後面抑え部１５ｂとからなる操作ユニット固定部１５に操作ユニット７が収容され且つ固定されることにより、把手１５ｃを形成した前面抑え部１５ａの強度が向上するようになっている。これにより、メンテナンス作業時に、把手１５ｃに手を掛けて各機器が搭載された重量のあるベース１を外胴２から引き出したり、収納したりしても前面抑え部１５ａの強度が向上していることにより、前面抑え部１５ａ及び前面フランジ１ｄでの変形を防ぎながら円滑に作業を行なえるようになっている。
【００３２】
本体の設置作業あるいはメンテナンス作業においては、前述したように、室内熱交換器１０、プロペラファン１４、室外熱交換器１１等を搭載したベース１を、把手１５ｃに手を掛けて外胴２から引抜いたり収納する作業が行なわれるが、この際、把手１５ｃを形成した前面抑え部１５ａ及び周辺フランジ１ｄの強度が向上していることにより、これらに引張力及び押圧力が掛かっても変形が発生することを防止して円滑な作業が行なえるようになっている。
【実施例２】
【００３３】
次に、第二実施例について説明する。第二実施例は、後述する操作ユニット３５と操作ユニット固定部３１ｂの形状が第一実施例と相違するが、他は第一実施例と同様である。
【００３４】
第二実施例における一体型空気調和機３０は、図４に示すように、ベース３１に形成された前面フランジ３１ａを内側に窪ませ、一対の側部フランジ３１ｄと後部フランジ３１ｃとにより操作ユニット固定部３１ｂを形成している。また、前面フランジ３１ａの両側には螺子孔３１ｆが穿設されるとともに、切り起こしによる把手３１ｅが夫々形成されている。
【００３５】
操作ユニット３５は電装品を収納した箱体３５ｂと、同箱体３５ｂより幅広に形成されＯＮ／ＯＦＦスイッチ等を備えた前面板３５ａとからなり、同前面板３５ａの両側には、周辺フランジ３１ａに穿設された螺子孔３１ｆに対応して螺子挿通孔３５ｃが穿設されている。
【００３６】
操作ユニット３５が操作ユニット固定部３１ｂに前面側から挿入されると、螺子３６が前面板３５ｄの螺子挿通孔３５ｃに挿通されるとともに、前面フランジ３１ａの螺子孔３１ｆに螺合され、これにより、操作ユニット３５が操作ユニット固定部３１ｂに固定されるようになっている。
【００３７】
第二実施例も第一実施例と同様に、ベース３１の前面フランジ３１ａに操作ユニット３５を設けることにより、風向板３３を備えた吹出口３２を図示しない前面パネルの上端部から下端部に至るように吹出口３２の開口面積を大きくして形成することができ、吹出口３２からの吹出風量を増加させることができるようになっている。
【００３８】
また、第一実施例における固定用フランジ１ｇが不要となってベース３１の組立コストが低減されるとともに、操作ユニット固定部３１ｂにより把手３１ｅを形成した前面フランジ３１ａの強度が増加し、設置作業あるいはメンテナンス作業が円滑に行なえるようになっている。
【００３９】
尚、ファンケーシング３４の上面には配線溝３４ａが前後方向に形成されており、操作ユニット３５と図示しない圧縮機及びファンモータとを接続する配線が配線溝３４ａに収納できることにより配線作業が容易に行なえるようになっている。
【符号の説明】
【００４０】
１  ベース
１ａ  仕切板
１ｂ  室内部
１ｃ  室外部
１ｄ  前面フランジ
１ｅ  側面フランジ
１ｆ  後面フランジ
１ｇ  固定用フランジ
２  外胴
３  前面パネル
３ａ  吸込グリル
４  吹出口
５  左右風向板
６  上下風向板
７  操作ユニット
７ａ  ＯＮ／ＯＦＦスイッチ
７ｂ  温度調整ノブ
７ｃ  前面上部
７ｄ  前面下部
７ｅ  螺子孔
８  圧縮機
９  アキュームレータ
１０  室内熱交換器
１０ａ  側板
１０ｂ  フィン
１０ｃ  伝熱管
１１  室外熱交換器
１２  シロッコファン
１３  ファンケーシング
１４  プロペラファン
１５  操作ユニット固定部
１５ａ  前面抑え部
１５ｂ  後面抑え部
１５ｃ  把手
１５ｄ  螺子挿通孔
１６  ファンモータ
３０  一体型空気調和機
３１  ベース
３１ａ  前面フランジ
３１ｂ  操作ユニット固定部
３１ｃ  後部フランジ
３１ｄ  側部フランジ
３１ｅ  把手
３１ｆ  螺子孔
３２  吹出口
３３  風向板 
３４  ファンケーシング
３４ａ  配線溝
３５  操作ユニット
３５ａ  前面板
３５ｂ  箱体
３５ｃ  螺子挿通孔
３６  螺子
【図１】
2013068334.tif 000003
【図２】
2013068334.tif 000004
【図３】
2013068334.tif 000005
【図４】
2013068334.tif 000006
【図５】
2013068334.tif 000007